(57)【要約】    【課題】  移動に伴う振動によって逆浸透膜ユニットが傷むことを抑制できる移動式浄水装置を提供することを課題としている。    【解決手段】  逆浸透膜を含む棒状の逆浸透膜ユニットを有し該逆浸透膜ユニットによって被処理水を膜分離することにより逆浸透膜を透過した浄水を得る浄水部と、２つの車軸を有し前記浄水部を載せた状態で移動する車両部とを備え、  前記逆浸透膜ユニットが、前記車軸の長手方向に延在している移動式浄水装置を提供する。【選択図】  図１
2015024391.tif 000002
【特許請求の範囲】
【請求項１】
逆浸透膜を含む棒状の逆浸透膜ユニットを有し該逆浸透膜ユニットによって被処理水を膜分離することにより逆浸透膜を透過した浄水を得る浄水部と、車軸を有し前記浄水部を載せた状態で移動する車両部とを備え、
前記逆浸透膜ユニットが、前記車軸の長手方向に延在している移動式浄水装置。
【請求項２】
前記車両部が２つの車軸を有し、上から見たときに、前記逆浸透膜ユニットが前記２つの車軸の間に配されている請求項１に記載の移動式浄水装置。
【請求項３】
前記浄水部は、さらに、装置外から供給される被処理水を取り入れるための開口が一端に形成された取入管と、前記浄水を装置から取り出すための開口が一端に形成された浄水管と、前記逆浸透膜を透過しなかった濃縮水を装置外へ排出するための開口が一端に形成された排出管とを有し、
前記取入管、前記浄水管、及び、前記排出管は、開口が形成された一端側がそれぞれ前記浄水部の後ろ側で互いに並ぶように配され、且つ、それぞれの開口が後方へ向くように配されている請求項１又は２に記載の移動式浄水装置。
【請求項４】
前記浄水部は、さらに、該浄水部の作動を制御する制御盤を有し、
前記制御盤は、前記浄水部の後ろ側に配され、しかも、作業者によって操作される操作面を有し該操作面が装置の側方を向いている請求項１〜３のいずれか１項に記載の移動式浄水装置。
【請求項５】
前記浄水部は、さらに、該浄水部を作動させるための電気を作る発電機を有し、該発電機と前記逆浸透膜ユニットとの間には、作業者が通る通路が形成されている請求項１〜４のいずれか１項に記載の移動式浄水装置。
【発明の詳細な説明】
【技術分野】
【０００１】
本発明は、膜分離によって被処理水から浄水を得る浄水部と該浄水部を載せた状態で移動する車両部とを備えた移動式浄水装置に関する。
【背景技術】
【０００２】
従来、この種の移動式浄水装置としては、様々なものが知られており、例えば、浄水部が、精密濾過膜を含む精密濾過膜ユニットと逆浸透膜を含む棒状の逆浸透膜ユニットとを有し、車両部が、３つの車軸を有するトラックであるものが知られている（特許文献１）。
【０００３】
上記の移動式浄水装置によれば、逆浸透膜ユニットにて被処理水を膜分離することによって、比較的浄化度の高い浄水を得ることができる。従って、上記の移動式浄水装置によれば、例えば、川岸や湖岸付近へ移動し、そのままでは飲用に適さない被処理水としての河川水や湖水を、精密濾過膜ユニットによって除濁処理した後、逆浸透膜ユニットによって膜分離することによって浄水を得て、浄水を飲用水に利用することができる。
【０００４】
しかしながら、上記の移動式浄水装置においては、浄水部における逆浸透膜ユニットの長手方向と、車両部における車軸の長手方向とが直交するように逆浸透膜ユニットが配されている。即ち、逆浸透膜ユニットの長手方向と装置の進行方向とが同じ方向となるように、逆浸透膜ユニットが配されている。
【０００５】
従って、上記の移動式浄水装置は、例えば、移動において急発進したり急停止したりすると、進行方向、即ち、前後方向に比較的強い振動が生じる。これにより、逆浸透膜ユニットには、長手方向に比較的強い力が加わる。逆浸透膜ユニットは、内部で長手方向に延在する逆浸透膜が両端部にて固定されて構成されている。従って、逆浸透膜ユニットに対して長手方向に比較的強い力が加わると、斯かる力によって逆浸透膜の固定部分がユニットの中央側方向に引っ張られ得る。これにより、逆浸透膜ユニットにおいては、逆浸透膜の両端部における固定がゆるみ、本来の水浄化性能が発揮されなくなり得る。
【０００６】
このように、上記の移動式浄水装置においては、移動に伴う振動によって逆浸透膜ユニットが傷むという問題が起こり得る。
【先行技術文献】
【特許文献】
【０００７】
【特許文献１】国際公開第２０１０／０８４９６２号
【発明の概要】
【発明が解決しようとする課題】
【０００８】
本発明は、上記の問題点等に鑑み、移動に伴う振動によって逆浸透膜ユニットが傷むことを抑制できる移動式浄水装置を提供することを課題とする。
【課題を解決するための手段】
【０００９】
上記課題を解決すべく、本発明に係る移動式浄水装置は、逆浸透膜を含む棒状の逆浸透膜ユニットを有し該逆浸透膜ユニットによって被処理水を膜分離することにより逆浸透膜を透過した浄水を得る浄水部と、車軸を有し前記浄水部を載せた状態で移動する車両部とを備え、
前記逆浸透膜ユニットが、前記車軸の長手方向に延在していることを特徴とする。
【００１０】
上記構成からなる移動式浄水装置においては、逆浸透膜ユニットが車軸の長手方向に延在しているため、逆浸透膜ユニットの長手方向が装置の移動方向（前後方向）に対して略垂直な方向となる。従って、移動式浄水装置が急発進や急停止をしても、逆浸透膜ユニットには、長手方向に対して略垂直な方向の力が加わる。逆浸透膜ユニットは、長手方向に対して略垂直な方向の力が加わっても、ユニット内で固定された逆浸透膜の両端部が外れることが起こりにくい。従って、前記移動式浄水装置によれば、移動に伴う振動によって逆浸透膜ユニットが傷むことを抑制できる。
【００１１】
本発明の移動式浄水装置においては、前記車両部が２つの車軸を有し、上から見たときに、前記逆浸透膜ユニットが前記２つの車軸の間に配されていることが好ましい。
【００１２】
本発明の移動式浄水装置においては、前記浄水部は、さらに、装置外から供給される被処理水を取り入れるための開口が一端に形成された取入管と、前記浄水を装置から取り出すための開口が一端に形成された浄水管と、前記逆浸透膜を透過しなかった濃縮水を装置外へ排出するための開口が一端に形成された排出管とを有し、
前記取入管、前記浄水管、及び、前記排出管は、開口が形成された一端側がそれぞれ前記浄水部の後ろ側で互いに並ぶように配され、且つ、それぞれの開口が後方へ向くように配されていることが好ましい。
【００１３】
本発明の移動式浄水装置においては、前記浄水部は、さらに、該浄水部の作動を制御する制御盤を有し、
前記制御盤は、前記浄水部の後ろ側に配され、しかも、作業者によって操作される操作面を有し該操作面が装置の側方を向いていることが好ましい。
【００１４】
本発明の移動式浄水装置においては、前記浄水部は、さらに、該浄水部を作動させるための電気を作る発電機を有し、該発電機と前記逆浸透膜ユニットとの間には、作業者が通る通路が形成されていることが好ましい。
【発明の効果】
【００１５】
本発明の移動式浄水装置は、移動に伴う振動によって逆浸透膜ユニットが傷むことを抑制できるという効果を奏する。
【図面の簡単な説明】
【００１６】
【図１】本実施形態の移動式浄水装置を斜め後ろ上方から見た様子を示す概略図。
【図２】本実施形態の移動式浄水装置を上から見た様子の概略を表した図。
【図３】本実施形態の移動式浄水装置における水の流れを概略的に表した図。
【図４】本実施形態の移動式浄水装置を側方からみた様子の概略を表した図。
【図５】本実施形態の移動式浄水装置の一具体例を表した概略図。
【発明を実施するための形態】
【００１７】
以下、本発明に係る移動式浄水装置の一実施形態について、図面を参照しつつ詳しく説明する。
【００１８】
本実施形態の移動式浄水装置１は、図１〜図４に示すように、逆浸透膜（ＲＯ膜）を含む棒状の逆浸透膜ユニット２ａを有し該逆浸透膜ユニット２ａによって被処理水Ａを膜分離することにより逆浸透膜を透過した浄水Ｚを得る浄水部２と、車軸３ａを有し前記浄水部２を載せた状態で移動する車両部３とを備え、
前記逆浸透膜ユニット２ａが、前記車軸３ａの長手方向に延在しているものである。
【００１９】
本実施形態の移動式浄水装置１は、浄水部２が車両部３の上に載って固定された状態で移動及び停止するように構成されている。また、本実施形態の移動式浄水装置１は、停止した状態で、装置外から供給される被処理水Ａを逆浸透膜ユニット２ａにて膜分離することによって、浄水Ｚを得るように構成されている。
【００２０】
前記浄水部２は、膜分離ユニットとしての逆浸透膜ユニット２ａを少なくとも有し、装置外から供給される被処理水Ａを逆浸透膜ユニット２ａによって膜分離し、逆浸透膜を透過した浄水Ｚを得て、得られた浄水Ｚを装置から取り出すように構成されている。
【００２１】
一方、前記車両部３は、浄水部２を載せる荷台３ｂと、車両部３の移動を制御する作業者を内部に収容し前記該荷台３ｂよりも前方に配された運転室３ｃとを含む車両本体を有する。
また、前記車両部３は、互いに平行となるように配され車両本体の下側に配された２つの車軸３ａを有する。そして、車両部３は、運転室３ｃ側への方向（前方）及び荷台３ｂ側への方向（後方）に移動するように構成されている。また、いったん動いた後に停止できるように構成されている。
【００２２】
本明細書において、前とは、移動式浄水装置１が前進する方向、即ち、車両部３の荷台３ｂ側から運転室３ｃ側へ向く方向を意味する。一方、後ろとは、前と反対の方向を意味する。
【００２３】
前記逆浸透膜ユニット２ａは、棒状に形成され、一端側から取り入れた被処理水Ａを逆浸透膜の膜分離によって濃縮水Ｎと透過水とに膜分離し、他端側から濃縮水Ｎと透過水とをユニット外へ出すように構成されている。透過水は、逆浸透膜を透過したものであり、移動式浄水装置１において浄水Ｚとして得られる。
なお、前記逆浸透膜ユニット２ａとしては、従来公知の一般的なものが採用される。
【００２４】
前記逆浸透膜ユニット２ａは、該ユニットの長手方向に延在する単数又は複数の逆浸透膜と、単数又は複数の逆浸透膜を収容する筒状の収容体とを含んでいる。
該収容体は、耐圧性の筒状の容器本体と、容器本体の両端部をそれぞれ覆う耐圧性の蓋体とを有する。
前記逆浸透膜ユニット２ａにおいては、該ユニットの長手方向に延在するように配された複数の逆浸透膜が、容器本体内部に収容され両端部にて蓋体によって固定されることにより、逆浸透膜の両端部が収容体に固定されている。即ち、ユニットの長手方向に延在するように配された逆浸透膜の両端部は、それぞれ収容体の蓋体によって固定されている。
そして、逆浸透膜ユニット２ａは、内部での逆浸透膜の移動を規制し、被処理水Ａの膜分離を安定的に行うように構成されている。
なお、逆浸透膜ユニット２ａ内における逆浸透膜の形状としては、例えば、中空糸状、スパイラル状等が挙げられる。
【００２５】
前記逆浸透膜ユニット２ａは、車両部３の車軸３ａの長手方向に延在している。即ち、前記逆浸透膜ユニット２ａは、図２及び図４に示すように、長手方向が装置の前後方向と直交するように、車両部３の上方で横方向に延在している。
【００２６】
本実施形態の移動式浄水装置１においては、逆浸透膜ユニット２ａが車軸３ａの長手方向に延在しているため、逆浸透膜ユニット２ａの長手方向が装置の移動方向（前後方向）に対して略垂直な方向となる。従って、移動式浄水装置１が急発進や急停止をすると、逆浸透膜ユニット２ａには、長手方向に対して略垂直な方向の力が加わる。逆浸透膜ユニット２ａは、長手方向に対して略垂直な方向の力が加わっても、ユニットの両端部で固定された逆浸透膜が外れることが起こりにくい。従って、前記移動式浄水装置１によれば、移動に伴う振動によって逆浸透膜ユニット２ａが傷むことを抑制できる。
【００２７】
前記逆浸透膜ユニット２ａは、図２に示すように、移動式浄水装置１の上方から見たときに、２つの車軸３ａの間に配されている。即ち、前方の車軸中心と後方の車軸中心との間に配されている。
【００２８】
斯かる構成により、本実施形態の移動式浄水装置１においては、移動式浄水装置１が移動する際に、逆浸透膜ユニット２ａが２つの車軸３ａのいずれかの真上に配されているときよりも、逆浸透膜ユニット２ａに加わる力が小さくなり得る。
詳しくは、移動式浄水装置１が例えば悪路を移動すると、前側の車軸３ａと後側の車軸３ａとがそれぞれランダムに上下方向に動くこととなる。このとき、車軸３ａの真上に配された逆浸透膜ユニット２ａは、車軸３ａの上下方向の動きに連動して上下方向に動くこととなる。しかしながら、２つの車軸３ａ間に配された逆浸透膜ユニット２ａは、２つの車軸３ａがランダムに上下方向に動いても、必ずしも各車軸３ａの上下方向の動きに連動しない。
従って、２つの車軸３ａ間に配された逆浸透膜ユニット２ａは、車軸３ａの真上に配された逆浸透膜ユニット２ａよりも、上下方向の動きが小さくなり得る。即ち、逆浸透膜ユニット２ａが２つの車軸３ａ間に配されていることにより、移動式浄水装置１が移動する際に逆浸透膜ユニット２ａに加わる力がより小さくなり、移動に伴う振動によって逆浸透膜ユニット２ａが傷むことをより確実に抑制できる。
【００２９】
前記逆浸透膜ユニット２ａは、移動式浄水装置１の上方から見たときに、いずれか一方の車軸３ａから、少なくとも車軸間距離（車軸の中心間距離）の１／４以上離れていることが好ましく、１／３以上離れていることがより好ましい。逆浸透膜ユニット２ａがいずれか一方の車軸３ａから少なくとも車軸間距離の１／４以上離れていることにより、移動に伴う振動によって逆浸透膜ユニット２ａが傷むことをより確実に抑制できる。
なお、前記逆浸透膜ユニット２ａは、上から見て２つの車軸３ａの中間に配されたときに、いずれの車軸３ａからも最も離れることとなる。即ち、逆浸透膜ユニット２ａは、いずれの車軸３ａからも車軸間距離の１／２離れているときが、いずれの車軸３ａからも最も離れることとなる。
【００３０】
前記逆浸透膜ユニット２ａは、図１に示すように１本が装置に備えられていてもよく、複数本が備えられていてもよい。
複数本の逆浸透膜ユニット２ａは、例えば、上下方向に並ぶように配される。
【００３１】
前記逆浸透膜ユニット２ａは、長手方向に沿って動かされることによって、浄水部２の所定の位置に配置され、固定されている。即ち、前記浄水部２は、逆浸透膜ユニット２ａの長手方向に沿って逆浸透膜ユニット２ａを動かすことによって、浄水部２の所定位置に逆浸透膜ユニット２ａを設置できるように構成されている。
また、前記逆浸透膜ユニット２ａは、長手方向に沿って動かされることによって、浄水部から取り出されるように構成されている。即ち、前記浄水部２は、逆浸透膜ユニット２ａを長手方向に沿って動かすことによって、逆浸透膜ユニット２ａを取り出せるように構成されている。
【００３２】
しかも、前記逆浸透膜ユニット２ａは、装置の側方の地上にいる作業者によって上記のごとく動かされて、浄水部２に設置される高さに配されている。また、上記のごとく動かされて、浄水部２から取り出される高さに配されている。
具体的には、前記逆浸透膜ユニット２ａは、例えば、地面から１ｍ〜３ｍの高さに配されている。
【００３３】
さらに、前記浄水部２は、図１〜図４に示すように、精密濾過膜（ＭＦ膜）を含む棒状の精密濾過膜ユニット２ｂを有する。
また、前記浄水部２は、該浄水部２を構成するものの間をつなぐ水の経路となる配管をさらに有する。
また、前記浄水部２は、浄水部２を作動させるための電気を作る発電機２ｆと、浄水部２の作動を制御する制御盤２ｇと、精密濾過膜ユニット２ｂの精密濾過膜又は逆浸透膜ユニット２ａの逆浸透膜を洗浄する薬液を貯める薬液貯留部２ｈとをさらに有する。
【００３４】
前記精密濾過膜ユニット２ｂは、図３に示すように、逆浸透膜ユニット２ａの上流側に配されている。
前記精密濾過膜ユニット２ｂは、棒状に形成され、一端側から取り入れた被処理水Ａを精密濾過膜の膜分離によって濃縮水Ｎと透過水とに膜分離し、他端側から濃縮水Ｎと透過水とをユニット外へ出すように構成されている。
前記精密濾過膜ユニット２ｂは、長手方向が上下方向となるように配されている。
なお、前記精密濾過膜ユニット２ｂとしては、従来公知の一般的なものが採用される。
【００３５】
前記浄水部２は、例えば図１及び図３に示すように、並列的に接続された２本の精密濾過膜ユニット２ｂを有する。
２本の精密濾過膜ユニット２ｂは、装置外から供給された被処理水Ａを精密濾過膜によってそれぞれ膜分離するように構成されている。そして、各精密濾過膜ユニット２ｂの精密濾過膜を透過した被処理水Ａを逆浸透膜ユニット２ａへ送るように構成されている。
【００３６】
即ち、前記浄水部２は、装置外から供給された被処理水Ａを２本の精密濾過膜ユニット２ｂによって膜分離し、さらに、精密濾過膜ユニット２ｂの精密濾過膜を透過した被処理水Ａを逆浸透膜ユニット２ａの逆浸透膜によって膜分離するように構成されている。そして、前記浄水部２は、逆浸透膜ユニット２ａにおける膜分離によって逆浸透膜を透過した浄水Ｚを得るように構成されている。
なお、前記浄水部２は、精密濾過膜ユニット２ｂを１本のみ有してもよい。
【００３７】
前記配管としては、被処理水Ａを装置外から装置内へ取り入れるためのもの、装置内で得られた浄水Ｚを装置から取り出すためのもの、精密濾過膜や逆浸透膜を透過しなかった濃縮水Ｎを装置外へ排出するためのものなどが挙げられる。
詳しくは、前記浄水部２は、例えば図１に示すように、装置外から供給される被処理水Ａを取り入れるための開口が一端に形成された取入管２ｃと、浄水Ｚを装置から取り出すための開口が一端に形成された浄水管２ｄと、精密濾過膜を透過せずに濃縮されたＭＦ膜濃縮水及び逆浸透膜を透過せずに濃縮されたＲＯ膜濃縮水を装置外へ排出するための開口が一端に形成された排出管２ｅとを配管として有する。
【００３８】
前記取入管２ｃ、前記浄水管２ｄ、及び、前記排出管２ｅは、開口が形成された一端側がそれぞれ前記浄水部２の後ろ側で互いに並ぶように配され、且つ、それぞれの開口が後方へ向くように配されている。
また、前記取入管２ｃ、前記浄水管２ｄ、及び、前記排出管２ｅのそれぞれの開口は、装置の後ろの地上にいる作業者の手が届く位置に配されている。例えば、浄水部２の後端から０〜３０ｃｍ前方の位置に配されている。
【００３９】
そして、前記浄水部２は、装置の後方から供給された被処理水Ａを取入管２ｃの開口から装置内に取り入れ、取入管２ｃを介して被処理水Ａを精密濾過膜ユニット２ｂに送るように構成されている。また、前記浄水部２は、逆浸透膜ユニット２ａの膜分離により膜を透過した浄水Ｚを、浄水管２ｄの開口を介して、装置から取り出すように構成されている。さらに、前記浄水部２は、精密濾過膜ユニット２ｂで濃縮されたＭＦ膜濃縮水と逆浸透膜ユニット２ａで濃縮されたＲＯ膜濃縮水とを排出管２ｅの開口を介して装置外へ排出するように構成されている。
【００４０】
前記浄水部２において、取入管２ｃ、浄水管２ｄ、及び、排出管２ｅの開口側が浄水部２の後ろ側で互いに並ぶように配され、しかも各開口が後方を向いていることにより、装置外から被処理水Ａを供給するためのホース等と取入管２ｃの開口とをつなぐ作業、浄水Ｚを装置から取り出すためのホース等と浄水管２ｄの開口とをつなぐ作業、並びに、ＭＦ膜濃縮水及びＲＯ膜濃縮水を装置外へ排出するためのホース等と排出管２ｅの開口とをつなぐ作業を、作業者が、装置の後方に居ながら行うことができる。
【００４１】
前記取入管２ｃの開口から装置に取り入れられる被処理水Ａとしては、特に限定されず、例えば、海水、井水、河川水、湖沼水などが採用される。
前記浄水管２ｄの開口を介して装置から取り出された浄水Ｚは、例えば、飲料水、工業用水などの用途で使用される。
前記排出管２ｅの開口から装置外へ排出されたＭＦ濃縮水やＲＯ濃縮水は、例えば、河川水の取水地点よりも下流側で放流される。
【００４２】
なお、前記取入管２ｃの他端側は、精密濾過膜ユニット２ｂの上流側に取り付けられている。
また、前記浄水管２ｄの他端側は、逆浸透膜ユニット２ａの透過側に取り付けられている。
また、前記排出管２ｅの他端側は、精密濾過膜ユニット２ｂの濃縮側、及び、逆浸透膜ユニット２ａの濃縮側に取り付けられている。
【００４３】
前記発電機２ｆは、作り出した電気を浄水部２のポンプ等（後述）へ送り、浄水部２を作動させるように構成されている。
前記発電機２ｆは、図１等に示すように、浄水部２の前側に配されている。詳しくは、前記発電機２ｆは、荷台３ｂの前端部の上に配され、運転室３ｃの後ろに配されている。
【００４４】
前記浄水部２の発電機２ｆと逆浸透膜ユニット２ａとの間には、作業者が通る通路Ｒが形成されている。該通路Ｒは、逆浸透膜ユニット２ａの長手方向に沿って形成されており、作業者が車両部３の上を超えて、浄水部２を通り抜けるように形成されている。
該通路Ｒが形成されていることにより、車両部３の上における発電機２ｆと逆浸透膜ユニット２ａとの間で作業者が浄水部２のメンテナンス等に関わる作業を行うことができる。
【００４５】
具体的には、通路Ｒにおいては、上述したように、作業者が逆浸透膜ユニット２ａの長手方向に沿って逆浸透膜ユニット２ａを移動させることによって、作業者が逆浸透膜ユニット２ａを所定の位置に設置することができる。また、作業者が逆浸透膜ユニット２ａを同様な方向に移動させることによって、作業者が逆浸透膜ユニット２ａを浄水部２から取り出すことができる。なお、逆浸透膜ユニット２ａは、通路Ｒにいる作業者が該ユニットを上記のごとく移動させることができる高さに設置されている。
また、通路Ｒにおいては、例えば作業者が、発電機２ｆのメンテナンスを行うことができる。
また、通路Ｒには、浄水部２のメンテナンス等において用いる各種の道具類を一時的に置くことができる。
【００４６】
前記制御盤２ｇは、図１に示すように、浄水部２の後ろ側に配されている。しかも、装置の側方にいる作業者によって操作されるように配されている。即ち、前記制御盤２ｇは、外面に、作業者によって操作される操作面を有し該操作面が装置の側方を向いている。
具体的には、前記制御盤２ｇは、例えば図１に示すように、直方体状に形成されている。直方体の形状は、車軸３ａの長手方向に延びる辺の長さが他の辺の長さよりも短いものとなっている。
また、前記制御盤２ｇは、装置の側方（例えば、前方向に向かって左側）の地上にいる作業者が操作できるように、比較的低い位置に設置されている。また、前記制御盤２ｇは、装置の側方外側を向く面に、開閉可能な扉を有する。
前記制御盤２ｇが上記のように配されていることにより、上述したような取入管２ｃ、浄水管２ｄ、及び、排出管２ｅのそれぞれの開口をホース等とつなぐ作業を装置の後ろで行う作業者が、比較的短い距離を移動するだけで制御盤２ｇを操作することができる。
【００４７】
前記制御盤２ｇ及び前記発電機２ｆは、比較的大きい重量を有するため、移動式浄水装置１における重量物の集中を避けるために、図１等に示すように、それぞれ浄水部２の後ろ側及び前側に配されている。
【００４８】
前記薬液貯留部２ｈは、図１に示すように、通常、複数種の薬液をそれぞれ貯める複数のタンクを有する。
【００４９】
前記タンクは、地上にいる作業者が各薬液をタンクに供給できる高さに配されている。
【００５０】
前記タンクとしては、例えば、精密濾過膜ユニット２ｂの精密濾過膜を逆洗する酸化剤を貯める酸化剤用タンク、逆浸透膜ユニット２ａの逆浸透膜におけるスケールを防止するスケール防止剤を貯めるスケール防止剤用タンク、又は、逆浸透膜ユニット２ａの逆浸透膜における微生物の付着を防止するためのバイオファウリング防止剤を貯めるバイオファウリング防止剤用タンクなどが挙げられる。
【００５１】
前記酸化剤用タンクは、精密濾過膜を逆洗するために、精密濾過膜ユニット２ｂの透過水側へ酸化剤を送るように構成されている。
前記酸化剤用タンクによれば、精密濾過膜ユニット２ｂにおける精密濾過膜の詰まりを低減させることができる。
前記酸化剤としては、例えば、次亜塩素酸Ｎａなどが挙げられる。
【００５２】
前記スケール防止剤用タンクは、逆浸透膜ユニット２ａの上流側へスケール防止剤を送るように構成されている。
前記スケール防止剤用によれば、スケール防止剤によって、逆浸透膜ユニット２ａにおける逆浸透膜の詰まりを抑制することができる。
前記スケール防止剤としては、例えば、カルボキシ基含有重合体などが挙げられる。
【００５３】
前記バイオファウリング防止剤用タンクは、逆浸透膜ユニット２ａの上流側へバイオファウリング防止剤を送るように構成されている。
前記バイオファウリング防止剤用タンクによれば、バイオファウリング防止剤によって、逆浸透膜ユニット２ａにおける逆浸透膜の詰まりを抑制することができる。
なお、バイオファウリング防止剤に代えて、酸剤が用いられ得る。酸剤用のタンクは、間欠的に酸剤を被処理水へ注入して膜のファウリングを抑制するように構成されている。いずれの薬剤が採用されるかは、被処理水の性状（水質）に応じて、ファウリング抑制効果を見極めることによって決定される。
また、前記タンクは、それぞれ、上記例示したいずれの薬剤を含む薬液であっても充填できる材質で形成されている。
【００５４】
さらに、前記浄水部２は、図３に示すように、精密濾過膜ユニット２ｂに送る被処理水Ａを加圧するＭＦ膜ユニット加圧ポンプＰ’と、逆浸透膜ユニット２ａに送る被処理水Ａを加圧するＲＯ膜ユニット加圧ポンプＰ”とを有する。また、前記浄水部２は、該浄水部２内における水の流れを制御する複数の弁をさらに有する。
そして、前記浄水部２は、上述した発電機２ｆによって作った電気を用いて、ＭＦ膜ユニット加圧ポンプＰ’やＲＯ膜ユニット加圧ポンプＰ”を作動させ、精密濾過膜ユニット２ｂや逆浸透膜ユニット２ａにおいて被処理水Ａを膜分離するように構成されている。
また、前記浄水部２は、上述した制御盤２ｇの操作によって、ＭＦ膜ユニット加圧ポンプＰ’、ＲＯ膜ユニット加圧ポンプＰ”、弁などを作動又は停止させることにより、被処理水Ａの浄化処理を制御できるように構成されている。
【００５５】
前記車両部３は、上述したように２つの車軸３ａを有する。２つの車軸３ａは、例えば図２に示すように、前の車軸３ａが運転室３ｃの下側に配され、後ろの車軸３ａが荷台３ｂの下側に配されている。
【００５６】
前記車両部３においては、２つの車軸３ａの間の距離が、車両部３が２トン車であれば、通常、３ｍ〜４ｍである。
【００５７】
前記車両部３は、さらに、各車軸３ａの両端部にそれぞれ取り付けられた車輪３ｄを有する。
前記車両部３においては、例えば図１等に示すように、前の車軸３ａに２つの車輪３ｄが取り付けられ、後ろの車軸３ａに４つの車輪３ｄが取り付けられている。
なお、前記車両部３においては、車輪３ｄの数は、特に限定されない。
【００５８】
前記車両部３の荷台３ｂは、板状に形成されており、一方の面の上に浄水部２を載せるために、該一方の面が上を向くように配されている。
【００５９】
前記荷台３ｂの上側の面は、例えば、地面から０．５ｍ〜１．５ｍの高さに配されている。
【００６０】
前記車両部３の運転室３ｃは、左右両方側に開閉可能なドアを有し、左右両方側から内部へ作業者が乗ることができるように構成されている。開閉可能なドアによって、作業者は、装置外から運転室３ｃへ入ることができ、また、運転室３ｃ内から外へ出ることができる。
【００６１】
前記運転室３ｃと前記荷台３ｂとは、移動中に互いに離れないように、一般的な手段によってつなげられている。
【００６２】
前記車両部３の態様としては、例えば、一般的なトラックなどが挙げられる。
具体的には、前記車両部３としては、例えば、車両総重量５〜７トン、最大積載量３ｔ未満、排気量３０００〜５０００ｃｃのトラックなどが挙げられる。
【００６３】
本実施形態の移動式浄水装置１は、上から見たときに、通常、浄水部２が車両部３の荷台３ｂの内側に収まるように構成されている。
【００６４】
本実施形態の移動式浄水装置１は、図５に示すように、浄水部２を覆うように支柱で構成された枠体４を備えていてもよい。
【００６５】
前記枠体４は、浄水部２を囲うように荷台３ｂの上に配され前後方向に略等間隔を空けて配された複数の第１支柱４ａと、上から見たときに第１支柱４ａを９０°回転させたように配され且つ浄水部２を囲うように荷台３ｂの上に配された１つの第２支柱４ｂとを有する。
【００６６】
第１支柱４ａは、装置を後方から前方に向かって見たときに、荷台３ｂの右側の端部から上方へ延び、さらに、荷台３ｂの左側へ向けて浄水部２を超えるように車軸３ａの長手方向と同じ方向に延び、さらに、荷台３ｂの左側の端部へ向けて下方へ延びるように、それぞれ形成されている。
第２支柱４ｂは、装置を側方から見たときに、荷台３ｂの前端部から上方へ延び、さらに、後方へ向けて浄水部２を超えるように延び、さらに荷台３ｂの後端部へ向けて下方へ延びるように形成されている。第２支柱４ｂの上部は、装置を後方から前方に向かって見たときに、荷台３ｂの横方向長さの中間部分の上方を通るように配されている。
また、第２支柱４ｂは、上部の複数の部分において、各第１支柱４ａの上部と接続されている。
【００６７】
該枠体４を備えた移動式浄水装置１においては、枠体４の上に柔軟性を有するシート状物を被せることにより、浄水部２の上方、側方、前方、後方を覆うことができる。そして、装置が移動している間において、浄水部２へ塵埃等が侵入することを防止することができる。
また、該枠体４を備えた移動式浄水装置１においては、いったんシート状物を被せた後に、浄水部２の側方及び後方にあるシート状物を部分的に上方へまくり上げて固定することにより、浄水部２への降雨を防ぎつつ浄水部２の操作を行うことができる。
【００６８】
上記実施形態の移動式浄水装置は、上記例示の通りであるが、本発明は、上記例示の移動式浄水装置に限定されるものではない。
また、一般の移動式浄水装置において用いられる種々の態様を、本発明の効果を損ねない範囲において、採用することができる。
【符号の説明】
【００６９】
１：移動式浄水装置、
２：浄水部、
２ａ：逆浸透膜ユニット、  ２ｂ：精密濾過膜ユニット、  ２ｃ：取入管、  ２ｄ：浄水管、  ２ｅ：排出管、  ２ｆ：発電機、  ２ｇ：制御盤、  ２ｈ：薬液貯留部、
３：車両部、
３ａ：車軸、  ３ｂ：荷台、  ３ｃ：運転室、  ３ｄ：車輪、
４：枠体、  ４ａ：第１支柱、  ４ｂ：第２支柱、
Ａ：被処理水、
Ｎ：濃縮水、
Ｐ’：ＭＦ膜ユニット加圧ポンプ、  Ｐ”：ＲＯ膜ユニット加圧ポンプ、
Ｒ：通路、
Ｚ：浄水。
【図１】
2015024391.tif 000003
【図２】
2015024391.tif 000004
【図３】
2015024391.tif 000005
【図４】
2015024391.tif 000006
【図５】
2015024391.tif 000007